(57)【要約】【課題】衛生洗浄装置と便器の清掃を容易に行うようにすること。【解決手段】便器２に装着された衛生洗浄装置本体４には、水路と加熱ヒーター１５とを有し蒸気を生成する蒸気発生手段７と、この蒸気発生手段７により発生した蒸気を噴射する噴射口を有した蒸気噴射手段６とを備えている。そしてこの蒸気噴射手段６は衛生洗浄装置本体４から取り外し可能に形成されている。これによって、汚れた部分を集中して容易に洗浄することができる。【選択図】  図１
2004300877.tif 000002
【特許請求の範囲】
【請求項１】
水路および加熱ヒーターを有し蒸気を生成する蒸気発生手段と、前記蒸気発生手段により発生した蒸気を噴射する蒸気噴射手段とを備えた衛生洗浄装置本体において、前記蒸気噴射手段は、前記衛生洗浄装置本体から取り外し可能にしてなる衛生洗浄装置。
【請求項２】
蒸気噴射手段と蒸気発生手段とは伸縮自在なホースで連結してなる請求項１記載の衛生洗浄装置。
【請求項３】
蒸気噴射手段は、衛生洗浄装置本体の側部に設けてなる請求項１または２記載の衛生洗浄装置。
【請求項４】
衛生洗浄装置本体は、便器との脱着を行う脱着板を有し、前記脱着板に力をかけて前記衛生洗浄装置本体を前記便器より離脱することにより、前記便器と前記衛生洗浄装置本体との間に蒸気噴射手段からの蒸気が入る空間をつくり、前記空間を利用して蒸気を噴射し前記便器を清掃するようにしてなる請求項１〜３のいずれか１項記載の衛生洗浄装置。
【請求項５】
蒸気噴射手段の噴射口から噴射される蒸気は全周に広がらず、方向性を持って噴射すべくガイドを設けた請求項１〜４のいずれか１項記載の衛生洗浄装置。
【発明の詳細な説明】
【０００１】
【発明の属する技術分野】
本発明は、便器の清掃を可能にした衛生洗浄装置に関し、更に詳しくは、便器に蒸気を噴射して清掃する衛生洗浄装置に関する。
【０００２】
【従来の技術】
従来、トイレの掃除は、清掃用ブラシをトイレ収納ボックスに入れておき、定期的に便器面、特に便器鉢の中を清掃することによりトイレ臭をなくし、トイレを清潔に保つようにしている。これらの掃除の仕方は通常便器鉢の水を利用しながら清掃用ブラシこすって汚物を除去して、清掃用ブラシを便器の中で洗い落とすようにしている。
【０００３】
一方、衛生洗浄装置が普及してきて、便器だけではなく、衛生洗浄装置の清掃性向上のため、洗浄ノズルの掃除付のものが実用化されてきた。すなわち、洗浄ノズルを清掃するため、掃除のときに洗浄ノズルを突出させて、掃除できるように本体から突出させ、その後洗浄ノズルから微量の水を噴出させて歯ブラシのようなものでノズルを掃除するものであった（特許文献１参照）。
【０００４】
また、局部洗浄水が噴出されるノズル噴出孔への局部洗浄水の供給を制御する局部洗浄水供給手段と、ノズルを包囲した洗浄部を構成する洗浄部構成部材と、この洗浄部構成部材にノズル洗浄用の洗浄水を供給するノズル洗浄水供給手段とを有して、使用者によるノズルの掃除要求があったとき、ノズル洗浄水供給手段にノズル洗浄水を供給させるようにしてノズルの掃除を行っていた（特許文献２参照）。
【０００５】
一方、洗浄ノズルの水による洗浄ではなく高温水により洗浄ノズルや洗浄ノズルに至る温水流路を直接的または間接的に高温殺菌する高温殺菌手段を有して清掃するという提案もなされてきた（特許文献３参照）。
【０００６】
【特許文献１】
特開２００１−２３４５７１号公報
【特許文献２】
特開２００２−２８５６２２号公報
【特許文献３】
特開平９−８０３２５５号公報
【０００７】
【発明が解決しようとする課題】
しかしながら、衛生洗浄装置を搭載した便器およびそのトイレでは掃除は便器鉢の中だけをすればよいのではなく、衛生洗浄装置全体、または衛生洗浄装置と便器の間などさまざまなところの掃除が要求されてきた。従って便器面だけの清掃ではトイレの臭いをとることは難しく、衛生洗浄装置の臭い発生源を断つための清掃が必要とされてきた。
【０００８】
一方、衛生洗浄装置には局部を洗浄するノズルがあり、ここの清掃は重要なもので、その方法のひとつとして開示されている前記特許文献１においては、ノズルの掃除のための清掃用の水は自ら作り出すという利点がある。しかしながら、ブラシを持ってくる必要があり、掃除終了後は汚れたブラシを再度洗浄するということで、掃除という点ではわずらわしさがあった。
【０００９】
また、前記特許文献２の装置ではノズルに洗浄水を別に与えて清掃をするものであるが、清掃個所はノズルのみであった。
【００１０】
これら二つの提案はノズルの掃除に関して水または湯を使用するもので、さらに清掃性を確保するために前記特許文献３に開示の装置では洗浄するための水を高温水にして殺菌作用を持たすもので、従来にない、清掃から殺菌のレベルへの向上が見られたが、これもノズルを中心とした清掃性をアップするというものであった。
【００１１】
衛生洗浄装置を使用していると、便のみならず尿による臭いの発生があり、これらを取り去ることでトイレ臭をなくすことができるのであるが、本発明はこれら課題を解決するためになされたもので、本発明の目的は、トイレにおける主たる臭いの発生源を断った衛生洗浄装置、ならびに便器を殺菌清掃する機能を設けた衛生洗浄装置を提供することを目的とする。
【００１２】
【課題を解決するための手段】
上記従来の課題を解決するために本発明の衛生洗浄装置では、蒸気を生成するため水路および加熱ヒーターとを有する蒸気発生手段と、この蒸気発生手段により発生した蒸気を噴射する噴射口を有した蒸気噴射手段とを衛生洗浄装置本体に備え、蒸気噴射手段は衛生洗浄便座本体から取り外し可能にして各部の掃除を簡易に行うようにしたものである。
【００１３】
【発明の実施の形態】
本発明の実施の形態は、便器に装着された衛生洗浄装置本体に、水路と加熱ヒーターとを有し蒸気を生成する蒸気発生手段と、この蒸気発生手段により発生した蒸気を噴射する噴射口を有した蒸気噴射手段とを備え、この蒸気噴射手段は衛生洗浄便座本体から着脱自在になるように形成している。
【００１４】
これによって、蒸気噴射手段を衛生洗浄装置から取り外し、蒸気発生手段により発生した殺菌性を有する蒸気を、汚いところや臭いが付着しているところに噴射することができる。噴射した後はトイレットペーパーでふき取り、またこの使用済みのトイレットペーパーを便器にそのまま流せるので、便器面をきれいにすることができる、且つこの際、普段設置されているトイレットペーパー以外の準備物は不要であるので頗る便利である。
【００１５】
また、蒸気噴射手段は、伸縮自在のホースによって蒸気発生手段と連結することにより、蒸気の噴射口は自在に移動でき、いろいろな掃除個所を選ぶことが可能になる。
【００１６】
また、蒸気噴射手段は、衛生洗浄装置本体の側部に設置したことにより、便器に向かって掃除しようとするときに蒸気噴射手段を手で簡単に持つことができる。
【００１７】
さらに、衛生洗浄装置本体は、便器との脱着を簡易に行う脱着板を備えており、この脱着板に一定の力をかければ衛生洗浄装置本体を便器面より離脱させて、便器面と衛生洗浄装置本体の間に蒸気噴射手段の蒸気が入る空間をつくり、この空間を利用して蒸気を噴射して清掃するように形成している。
【００１８】
これにより、蒸気噴射手段を本体から外して衛生洗浄装置の本体裏側や便器面に蒸気をかけ、ここにたまっている主として尿の固まった付着物をやわらかくしたうえにトイレットペーパーでふき取り、本体裏側や便器面も前述と同様容易にきれいにすることができる。
【００１９】
さらにまた、蒸気噴射手段の噴射口は全周に蒸気が広がらず、一方向にのみ噴射できるようなガイドを備えているため、幅の狭い便器リム面の清掃のために蒸気噴射手段で蒸気を噴射しても、便器内側に蒸気の結露した水が流れることはあっても、外側には決して流れることがなく、したがって、便器の内側で掃除の処理をすることができる。
【００２０】
【実施例】
以下、本発明の実施例を図面に基づいて説明する。
【００２１】
（実施例１）
図１は本発明の実施例１における掃除機能付衛生洗浄装置１の斜視図である。図において、２は便器、３はロータンク、４は衛生洗浄装置本体、５は便座、６は蒸気噴射手段で蒸気発生手段７とホース８で連結してある。そして蒸気噴射手段６は衛生洗浄装置本体４と離脱可能にしてある。
【００２２】
図２は蒸気噴射のための水回路図であり、９は給水管、１０は定流量弁、１１は電磁弁、１２は安全弁、１３は切り替え弁である。１４は蒸気発生の水路１５と蒸気発生のための加熱ヒーター１６からなる蒸気用熱交換器で、これにより蒸気発生手段７を構成する。蒸気発生手段７と蒸気噴射手段６との間は可動可能なホース１７で連結してある。また、１８は局部洗浄用熱交換器、１９は流量調節弁、２０は洗浄ノズルで、２１はおしり洗浄ノズル、２２はビデ洗浄ノズルである。
【００２３】
図３は蒸気噴射手段６の構成を示しており、噴射するための手に持つところはピストル状に構成してある。内部の構成はホースから接続された噴射通路２３と噴射口２４との間には閉止部２５があり、噴射させるための引き金部２６とで構成してある。また、２７は引き金部２６を引くときに引きやすいような握り部であり、また、図４における２８は噴射口２４から出る蒸気を一定方向に強制させるためのガイドである。
【００２４】
以上のように構成された衛生洗浄装置において、洗浄動作を行うときはボタン操作（図示せず）により電磁弁１１を開状態にすることにより、給水管９から入水した水は定流量弁１０、電磁弁１１を通過して局部洗浄用熱交換器１８で加熱され、流量調節弁１９で所定の流量に調節して、洗浄ノズル２０から局部に温水を噴射することにより洗浄を行う。これらの洗浄動作を繰り返し使用していると、洗浄ノズル２０に汚物が付着したままになってしまう場合がある。そこで電磁弁１１のあとにある切り替え弁１３で水路を切り替えて、蒸気発生手段７にて蒸気用熱交換器１６で高温に加熱することにより蒸気を発生させる。発生した蒸気はホース１７を通過して蒸気噴射手段６に入る。このとき蒸気噴射手段６はホース１７とともに可動可能な構成にしてある。掃除するときは蒸気噴射手段６の噴射口２４を汚れ部分に対抗させる。蒸気はホース１７から噴射通路２３を通り、引き金部２６を引くことにより閉止部２５が開になり、噴射口２４から蒸気が噴射される。
【００２５】
この動作をするためには蒸気噴射手段６は衛生洗浄装置本体４の側部に設置することにより、便器に向かって掃除しようとするときに蒸気噴射手段を手で簡単に持つことができる。なお、蒸気噴射手段は衛生洗浄装置本体の左右のどちらでも側部に分離して設置してもかまわないが、衛生洗浄装置と一体構成にした収納部に差し込むように入れてもよい。
【００２６】
（実施例２）
図４は本発明の実施例２における衛生洗浄装置の蒸気噴射手段にガイドを設けた形態の斜視図であり、図５（Ａ）は衛生洗浄装置本体４を便器２に固定した場合、図５（Ｂ）は衛生洗浄装置本体４を便器２に対して浮かした場合のそれぞれの模式図である。すなわち、２９は衛生洗浄装置本体４を便器に取り付けるための取り付け棒で、取り付け棒２９は本体脱着板３０を固定し、本体脱着板３０には衛生洗浄装置本体４をスライドして取り付けることにより固定している。掃除するときには、衛生洗浄装置本体４を本体脱着板３０からスライドして取り外す。このときベース部３１が浮き上がり、ベース部３１から支持部３２がポップアップして足のように出てくる。従ってベース部３１のところに設けてある支持部３２が支えになり、便器面から浮いた状態で固定される。
【００２７】
上記構成において、洗浄動作を行うときは実施例１と同様に蒸気発生手段７にて蒸気用熱交換器１６で高温に加熱することにより蒸気を発生させる。一方、衛生洗浄装置本体１は浮かした状態にしてあるため、蒸気噴射手段６の噴射口２４から衛生洗浄装置本体ベースや便器面の汚れ部分に対抗させる。蒸気はホース１７から噴射通路２３をとおり、引き金部２６を引くことにより閉止部２５が開になり、噴射口２４から蒸気が噴射される。このようにして普段手入れができない部分に蒸気をかけるため、固着した尿などがやわらかくなり、あとはティッシュペーパーでふき取るだけで清掃ができる。汚れたティッシュペーパーは便器に捨てて排水することにより処理することができる。
【００２８】
ところで、便器面は略平らであるため、蒸気のかけ方を便器面の内側寄りにかける必要がある。ここで蒸気噴射手段の噴射口にはガイドを設けており、このガイドにより蒸気が結露して便器外側に落ちないようにしてある。また、便器リム面を清掃するときも同様にガイドのために便器外側に蒸気が噴射して結露水が落ちことがないように噴射させることができる。
【００２９】
【発明の効果】
以上のように本発明によれば、蒸気発生手段によって発生した殺菌性を有した蒸気を、衛生洗浄装置から蒸気噴射手段を取り外したうえ、この蒸気噴射手段によって汚いところ、臭いが付着しているところにかけることができ、その後、トイレットペーパーでふき取り、使用済みのトイレットペーパーは便器に流してしまうことで、普段設置されているトイレットペーパー以外に準備物は必要なく、しかも便器面もきれいにすることができる。
【図面の簡単な説明】
【図１】本発明の実施例１における衛生洗浄装置の斜視図
【図２】同衛生洗浄装置の水回路を示す構成図
【図３】同衛生洗浄装置の蒸気噴射手段の構成を示す斜視図
【図４】同蒸気噴射手段にガイドを設けた形態の斜視図
【図５】（Ａ）本発明の実施例２における衛生洗浄装置の本体を便器に固定した状態を示す模式図
（Ｂ）同衛生洗浄装置の本体を便器に対して浮かした状態を示す模式図
【符号の説明】
４  衛生洗浄装置本体
６  蒸気噴射手段
７  蒸気発生手段
８  ホース
１５  加熱ヒーター
２８  ガイド
３０  本体脱着板
【図１】
2004300877.tif 000003
【図２】
2004300877.tif 000004
【図３】
2004300877.tif 000005
【図４】
2004300877.tif 000006
【図５】
2004300877.tif 000007